(57)【要約】【課題】  ＦＰＣ用コネクタのハウジング形状を変えずに、安価なＦＰＣ保持部材を付けることで、ＦＰＣの抜け防止を実現する。【解決手段】  基板上のＦＰＣ用コネクタに接続されたＦＰＣの保持を補助する構造において、ＦＰＣやが挿入可能な開口部に突部を設けたＦＰＣ保持部材を、開口部を有した基板に係合させ固定することで、ＦＰＣ保持部材の開口部を通っているＦＰＣの動きは規制され、ＦＰＣ用コネクタの接続部にかかる負荷を軽減でき、ＦＰＣの抜け防止が可能とする。【選択図】  図６
2009059588.tif 000002
【特許請求の範囲】
【請求項１】
基板上のＦＰＣ用コネクタに接続されたＦＰＣの保持を補助するＦＰＣ保持構造において、前記ＦＰＣと前記基板と前記ＦＰＣ用コネクタが挿入可能な開口部と、前記開口部に少なくとも１つの突部を有するＦＰＣ保持部材と、前記突部が係合される基板上の開口部を有することを特徴とするＦＰＣ保持構造。
【請求項２】
前記ＦＰＣ両側に突部を有し、前記ＦＰＣ両側突部を抑える壁面で構成された前記ＦＰＣ保持部材を有することを特徴とする請求項１に記載のＦＰＣ保持構造。
【請求項３】
前記ＦＰＣ保持部材の開口部において、前記ＦＰＣ両側突部幅より大きい第一の幅と、前記ＦＰＣ両側突部より小さい異なる第二の幅を有することを特徴とする請求項２に記載のＦＰＣ保持構造。
【請求項４】
前記ＦＰＣ保持部材の開口部に前記ＦＰＣを係止する手段を有することを特徴とする請求項１に記載のＦＰＣ保持構造。
【発明の詳細な説明】
【技術分野】
【０００１】
本発明はＦＰＣ用コネクタに接続されたＦＰＣの抜けを防止するためのＦＰＣ保持構造に関するものである。
【背景技術】
【０００２】
従来の技術としては、ＦＰＣの抜去力はコネクタ自身の構造に依存されるものが多く、コストメリットを考慮して汎用品として市場に多く普及しているＦＰＣ用コネクタを使う必要がある場合、配置構造によってはＦＰＣの動きに耐え切れずコネクタのロックが外れてしまったり、必要なＦＰＣの抜け強度を満たせなくなってしまう場合があった。その課題を解決する為に、別の二部材で接続部を上下に挟み込むことで抜け防止構造を施したものもある。（例えば、特許文献１参照）
【特許文献１】特開2007-28800号公報
【発明の開示】
【発明が解決しようとする課題】
【０００３】
本発明ではコネクタ自体のハウジング形状等を変更することなく、ＦＰＣの抜け防止手段を設けたＦＰＣ保持構造を提供することを課題とする。
【課題を解決するための手段】
【０００４】
上記課題を解決するために、本出願に係る第一の発明は、基板上のＦＰＣ用コネクタに接続されたＦＰＣの保持を補助する構造において、ＦＰＣと基板とＦＰＣ用コネクタが挿入可能な開口部と、開口部に少なくとも１つの突部を有するＦＰＣ保持部材を有し、基板上の開口部とＦＰＣ保持部材の開口部の突部が係合されることでＦＰＣ保持部材は基板と固定され、ＦＰＣ保持部材開口部を通ったＦＰＣの動きは規制され、ＦＰＣ用コネクタの接続部にかかる負荷を軽減でき、ＦＰＣの抜け防止が可能となることを特徴とする。
【０００５】
本出願に係る第二の発明は、ＦＰＣ両側に突部を有し、ＦＰＣ両側突部を抑える壁面で構成されたＦＰＣ保持部材を有することでＦＰＣの抜け防止手段を設けたことを特徴とする。
【０００６】
本出願に係る第三の発明は、ＦＰＣ保持部材の開口部において、ＦＰＣ両側突部幅より大きい第一の幅と、ＦＰＣ両側突部より小さい異なる第二の幅を有することで、組込み時、ＦＰＣは開口部の第一幅を通ることができ、ＦＰＣ保持部材が装着後には第二の幅部によりＦＰＣの両側突部は抑えらるため、組込み性を損なうことなくＦＰＣの抜け防止が可能となることを特徴とする。
【０００７】
本出願に係る第四の発明は、ＦＰＣ保持部材の開口部にＦＰＣを係止する手段を有することを特徴とする。
【発明の効果】
【０００８】
上記課題を解決するために、本出願に係る第一の発明は、基板上のＦＰＣ用コネクタに接続されたＦＰＣの保持を補助する構造において、ＦＰＣと基板とＦＰＣ用コネクタが挿入可能な開口部と、開口部に少なくとも１つの突部を有するＦＰＣ保持部材を有し、基板上の開口部とＦＰＣ保持部材の開口部の突部が係合されることでＦＰＣ保持部材は基板と固定され、ＦＰＣ保持部材開口部を通ったＦＰＣの動きは規制され、ＦＰＣ用コネクタの接続部にかかる負荷を軽減でき、ＦＰＣの抜け防止が可能となる。
【０００９】
本出願に係る第二の発明は、ＦＰＣ両側に突部を有し、ＦＰＣ両側突部を抑える壁面で構成されたＦＰＣ保持部材を有することでＦＰＣの抜け防止が可能となる。
【００１０】
本出願に係る第三の発明は、ＦＰＣ保持部材の開口部において、ＦＰＣ両側突部幅より大きい第一の幅と、ＦＰＣ両側突部より小さい異なる第二の幅を有することで、組込み時、ＦＰＣは開口部の第一幅を通ることができ、ＦＰＣ保持部材が装着後には第二の幅部によりＦＰＣの両側突部は抑えらるため、組込み性を損なうことなくＦＰＣの抜け防止が可能となる。
【００１１】
本出願に係る第四の発明は、ＦＰＣ保持部材の開口部にＦＰＣを係止する手段を有することで、ＦＰＣの抜け防止が可能となる。
【発明を実施するための最良の形態】
【００１２】
次に、本発明の詳細を実施例の記述に従って説明する。
【実施例１】
【００１３】
以下に、本発明の好適な実施形態について、図面を参照にして説明する。
【００１４】
図1はＦＰＣ用コネクタ３にＦＰＣ２を挿入し、ＦＰＣ用コネクタ３のロックフリップ３aを閉めて、ＦＰＣ２の接続を完了した後に、ＦＰＣ保持部材１を装着し、ＦＰＣ２の抜け防止を実施した図である。
【００１５】
図２はＦＰＣ保持部材１を示し、ＦＰＣ挿入側からの斜視図である。
【００１６】
図３はＦＰＣ接続前の斜視図であり、ＦＰＣ２をＦＰＣ保持部材１の開口部１ｈに通した状態の図である。
【００１７】
図６には図４の断面A-Aを記載してあり、ＦＰＣ保持部材１が基板４に固定される様子を説明する。ＦＰＣ保持部材１は突部1ａにより、基板４に設けられた開口部４ａに係合されて固定される。その際、ＦＰＣ用コネクタ３とＦＰＣ２は、基板４とを介して、ＦＰＣ保持部材1の壁1ｂと１cによって上下を挟み込まれる。
【００１８】
フロントロックタイプと呼ばれるＦＰＣ挿入側にロックフリップ３ａがあるＦＰＣ用コネクタにおいて本発明では効果的にＦＰＣの抜けを防止することができる。ロックフリップ３aの動きは回転軸３ｂを中心に矢印方向３ｃに開くことで、ＦＰＣ２の挿抜が可能となる為、ロックフリップ３aをＦＰＣ保持部材１の１ｂ部で押さえ込むことでＦＰＣ２の抜けを防止できる。
【００１９】
また、フロントロックタイプは、図１の矢印方向２ｂにＦＰＣ２が引っ張られた場合に、ロックフリップ３aが開きやすく、ＦＰＣが抜けやすいという問題がある為、ＦＰＣ保持部材１が取り付けられることで1ｄ部が壁になり、ＦＰＣの動きが規制され、ロックフリップ３aが開く方向３ｃに力がかからなくなるので、ＦＰＣ２の抜け防止が可能となる。
【００２０】
ＦＰＣ保持部材の１eの溝は、突部１aを外す為にピンセットを挿入する箇所として設けられたものである。
【００２１】
組込み手順としては、ＦＰＣ保持部材１の開口部１ｆにＦＰＣ２を通した状態で、ＦＰＣ２をＦＰＣ用コネクタ３に挿入し、ロックフリップ３ａを閉めてＦＰＣ２をＦＰＣ用コネクタ３に接続を完了し、ＦＰＣ保持部材１をＦＰＣ２に沿ってスライドさせて、突部１ａを基板の開口部４ａに係合させて組込みが完了する。
【００２２】
図１のような完成状態では、ＦＰＣ両側突部２ａを抑えられる構造を持ちつつ、組込み性を考慮してＦＰＣ２先端側からＦＰＣ保持部材を通せる構造であることを説明する。ＦＰＣ２はＦＰＣ保持部材１の開口部の第一の幅１ｇを通過し、図３の状態となる。図１のような完成状態では、ＦＰＣ保持部材１の１ｊ部がＦＰＣ２のＦＰＣ両側突部２aを抑えている。図７のように完成状態では、ＦＰＣ２の下には基板４が位置する為、ＦＰＣ２のＦＰＣ両側突部２aは、ＦＰＣ保持部材１の１ｇ部の位置に来ることはない。ＦＰＣ保持部材1の開口部の第一の幅１ｇは、ＦＰＣを通せるようにＦＰＣ両側突部２ａの幅より大きく、開口部第二の幅１ｈは、ＦＰＣ両側突部２ａ幅より小さい寸法とすることで、完成状態ではＦＰＣの抜けを防止することが可能となる。
【実施例２】
【００２３】
図１０のように、実施例１のＦＰＣ保持部材１の１ｂ部が、ＦＰＣ用コネクタ３のロックフリップ部３aの押さえまで伸びていないＦＰＣ保持部材５について提案する。
【００２４】
この状態でもＦＰＣを動きは規制できる為、ＦＰＣの抜け防止の効果はある。
【００２５】
ＦＰＣ２の仮挿入後、ロックフリップ３aが閉じられておらず、ＦＰＣの位置が正しく固定されていない状態で、ＦＰＣ保持部材５を挿入すれば、ＦＰＣ両側突部２aが押され、ＦＰＣ２がＦＰＣ用コネクタ３との接続位置まで自動的に移動される。その後、ロックフリップ３ａを閉じることで、接続が完了する。このようにＦＰＣ保持部材５がＦＰＣ２の位置決めの役割を果たすことで、ＦＰＣの挿入不足や斜め差しによる接触不良を改善することができる。
【００２６】
実施例１に比較し、ＦＰＣ保持部材１の抑え１ｂ部がなくなることで、ＦＰＣの抜け防止効果は低減するが、ＦＰＣ保持部材１を装着することでＦＰＣ２を自動的に位置決めできることから、組込み性の向上、電気的接続部の接触不良を改善することができる。
【実施例３】
【００２７】
図１１は、垂直差しタイプのＦＰＣ用コネクタ６の場合の実施例である。ＦＰＣ抜け防止の為には、前記同様にＦＰＣ両側突部２ａを設けるか、もしくは図１３のように、ＦＰＣに開口部（不図示）を有し、ＦＰＣ保持部材開口部１ｆにＦＰＣ係合用突部１ｋを設け、ＦＰＣ開口部に係合することにより、ＦＰＣの抜け防止手段を設ける。上記ＦＰＣ抜け防止構造は、基板４とＦＰＣ２とＦＰＣ保持部材１の形状により決定される為、垂直差しタイプのＦＰＣコネクタに限らず、いかなるコネクタにも対応できる。
【図面の簡単な説明】
【００２８】
【図１】実施形態を示す全体斜視図（実施例１）
【図２】ＦＰＣ保持部材斜視図
【図３】ＦＰＣ挿入前の全体斜視図
【図４】ＦＰＣ保持部材装着時の平面図
【図５】ＦＰＣ保持部材装着時の側面図
【図６】図４のＡ−Ａ断面図
【図７】図４のＢ−Ｂ断面図
【図８】図４のＣ−Ｃ断面図
【図９】図４のＤ−Ｄ断面図
【図１０】実施形態を示す全体斜視図（実施例２）
【図１１】実施形態を示す全体斜視図（実施例３）
【図１２】ＦＰＣ保持部材装着時の平面図（実施例３）
【図１３】図１２のＥ−Ｅ断面図（実施例３）
【符号の説明】
【００２９】
１  ＦＰＣ保持部材（実施例１）
１a  突部
１ｆ  開口部
１ｇ  開口部第一の幅
１ｈ  開口部第二の幅
１ｋ  ＦＰＣ係合用突部
２  ＦＰＣ
２ａ  ＦＰＣ両側突部
３  ＦＰＣ用コネクタ
３ａ  ロックフリップ
４  基板
４ａ  基板開口部
５  ＦＰＣ保持部材（実施例２）
６  垂直差しタイプＦＰＣ用コネクタ
【図１】
2009059588.tif 000003
【図２】
2009059588.tif 000004
【図３】
2009059588.tif 000005
【図４】
2009059588.tif 000006
【図５】
2009059588.tif 000007
【図６】
2009059588.tif 000008
【図７】
2009059588.tif 000009
【図８】
2009059588.tif 000010
【図９】
2009059588.tif 000011
【図１０】
2009059588.tif 000012
【図１１】
2009059588.tif 000013
【図１２】
2009059588.tif 000014
【図１３】
2009059588.tif 000015